(57)【特許請求の範囲】
【請求項１】
枠組み壁工法に用いる木質ユニットの隣接する床パネル間の接合方法であって、
隣接する床パネルを構成する根太の互いに対向する各側面の異なる位置にピンを固着し、該ピンは２つのディスク間に軸部を有するものであり、前記木質ユニットを隣接させて据え付けた後に、床パネルの上面側から床パネル相互の接合が行えるように、嵌合部を有する留め金具が前記両ピンに嵌合されるようにしたことを特徴とする床パネル間の接合方法。
【請求項２】
枠組み壁工法に用いる木質ユニットの隣接する木質ユニットの少なくとも一方に、内壁や間仕切りを備えた床パネル間の接合方法であって、
前記内壁や間仕切りと床パネルとの間に床板の厚み分の隙間を設け、前記木質ユニットを隣接させて据え付けた後に、スライド床板をその隙間に挿入して固定されるようにしたことを特徴とする床パネル間の接合方法。
【請求項３】
枠組み壁工法に用いる木質ユニットの隣接する木質ユニットの少なくとも一方に、設備や収納を備えた床パネル間の接合方法であって、
隣接する床パネルの隣接面に沿って、前記設備や収納が設置される位置に、適宜な大きさの施工スペースを設け、前記木質ユニットを隣接させて前記施工スペースより接合させた後に、前記設備や収納が設置可能なように、前記施工スペースに床枠が嵌着され床板で塞がれるようにしたことを特徴とする床パネル間の接合方法。
【請求項４】
前記設備や収納を備えた床パネルと反対側の床パネルの隣接面に沿って、前記施工スペースが設けられたことを特徴とする請求項３に記載の床パネル間の接合方法。
【請求項５】
枠組み壁工法に用いる木質ユニットの隣接する床パネル間の接合方法であって、
前記木質ユニットの隣接する床パネルを外壁が跨ぐように、幅狭の割付外壁を形成させるとともに、
外壁側から隣接する前記床パネルを跨いで固定金物を介して固定され、該固定金物の面上に弾性接着剤が付着され、該弾性接着剤の付着面上に前記割付外壁が接着されるようにしたことを特徴とする床パネル間の接合方法。
【発明の詳細な説明】
【０００１】
【発明の属する技術分野】
本発明は、枠組み壁工法に用いる木質ユニットの隣接する木質ユニットの床パネル間の接合方法に関するものである。
【０００２】
【従来の技術】
従来、隣接する木質ユニット間の床パネル間の接合方法として、第１実施例として、図６に示すように、隣接する木質ユニット１Ａ，１Ｂの隣接する床パネル２Ａ，２Ｂ相互を接合するために、床パネル２Ａ，２Ｂを構成する床根太１３，１５を、釘７打ちしたり、更にボルト６ａ・ナット６ｂで締結したりして、接合することが一般的に行われている。
【０００３】
第２実施例として、図７に示すように、隣接する木質ユニット１Ａ，１Ｂの一方に内壁や間仕切り３を有する隣接する床パネル２Ａ，２Ｂ相互を接合するために、内壁や間仕切り３と干渉しない位置に、床パネル２Ａ，２Ｂを架橋するように上面側から床板貼り渡し４を釘打ちし接合することが行われている。
【０００４】
第３実施例として、図８に示すように、隣接する木質ユニット１Ａ，１Ｂの一方に設備や収納５を有する隣接する床パネル２Ａ，２Ｂ相互を接合するために、設備や収納５と干渉しない位置に、床パネル２Ａ，２Ｂを架橋するように上面側から床板貼り渡し４を釘打ちし接合することが行われている（図７参照）。
【０００５】
第４実施例として、図９に示すように、隣接する木質ユニット１Ａ，１Ｂの隣接する床パネル２Ａ，２Ｂ相互を接合するために、床パネル１Ａ，１Ｂに外壁側から固定金物８を、固定具８ａである木ネジやラグスクリューや釘等で固定・接合することが行われている。
【０００６】
【発明が解決しようとする課題】
上述した木質ユニットの形態の違いによって、それぞれ、第１実施例では、隣接する床根太１３，１５同士を当接させ釘７打ちし、さらに、ボルトの貫通孔を加工して締結させるので、施工に工数がかかるといった問題がある。
【０００７】
第２および第３実施例では、内壁や間仕切り３または設備や収納５との干渉を避けて、床板貼り渡し４の釘打ち接合を行っているので、床板貼り渡し４の面積が大きく取れず、床の剛性が低下するという問題がある。また、施工スペースが限定されるため、作業が困難といった問題もある。
【０００８】
第４実施例では、固定金物８が壁の外側に固定されるので、風雨に曝され腐食劣化しやすいという問題がある。
【０００９】
そこで、この発明は、木質ユニットのそれぞれの形態に対応させて、施工工数がかからず、床の剛性が充分で、風雨に曝されて劣化することのない、床パネル間の接合方法を提供することを目的としている。
【００１０】
【課題を解決するための手段】
上記目的を達成するため、請求項１に記載された発明は、枠組み壁工法に用いる木質ユニットの隣接する床パネル間の接合方法であって、
隣接する床パネルを構成する根太の互いに対向する各側面の異なる位置にピンを固着し、該ピンは２つのディスク間に軸部を有するものであり、前記木質ユニットを隣接させて据え付けた後に、床パネルの上面側から床パネル相互の接合が行えるように、嵌合部を有する留め金具が前記両ピンに嵌合されるようにしたことを特徴としている。
【００１１】
この様なものにあっては、床パネルの上面側から留め金具をピンに嵌合させるようにしたので、留め金具をピンに嵌合するだけで、簡単に床パネルを接合させることができるようになる。
【００１２】
請求項２に記載された発明は、枠組み壁工法に用いる木質ユニットの隣接する木質ユニットの少なくとも一方に、内壁や間仕切りを備えた床パネル間の接合方法であって、
前記内壁や間仕切りと床パネルとの間に床板の厚み分の隙間を設け、前記木質ユニットを隣接させて据え付けた後に、スライド床板をその隙間に挿入して固定されるようにしたことを特徴としている。
【００１３】
この様なものにあっては、内壁や間仕切りと床パネルの間にスライド床板を固定させたので、床パネルの固定面積が拡大される。
【００１４】
請求項３に記載された発明は、枠組み壁工法に用いる木質ユニットの隣接する木質ユニットの少なくとも一方に、設備や収納を備えた床パネル間の接合方法であって、
隣接する床パネルの隣接面に沿って、前記設備や収納が設置される位置に、適宜な大きさの施工スペースを設け、前記木質ユニットを隣接させて前記施工スペースより接合させた後に、前記設備や収納が設置可能なように、前記施工スペースに床枠が嵌着され床板で塞がれるようにしたことを特徴としている。
【００１５】
この様なものにあっては、設備や収納が隣接面に沿った位置でも、接合施工の施工スペースの確保が可能となり、作業性が向上する。また、床枠を嵌着させたので、床剛性が向上するようになる。
【００１６】
請求項４に記載された発明は、請求項３に記載の床パネル間の接合方法において、
前記設備や収納を備えた床パネルと反対側の床パネルの隣接面に沿って、前記施工スペースが設けられたことを特徴としている。
【００１７】
この様なものにあっては、設備や収納と干渉しない床パネルの位置に床枠が嵌着されるので、干渉するものがなく作業性がより向上する。また、床枠を嵌着させたので、床パネルの剛性が向上するようになる。
【００１８】
請求項５に記載された発明は、枠組み壁工法に用いる木質ユニットの隣接する床パネル間の接合方法であって、
前記木質ユニットの隣接する床パネルを外壁が跨ぐように、幅狭の割付外壁を形成させるとともに、
外壁側から隣接する前記床パネルを跨いで固定金物を介して固定され、該固定金物の面上に弾性接着剤が付着され、該弾性接着剤の付着面上に前記割付外壁が接着されるようにしたことを特徴としている。
【００１９】
この様なものにあっては、外側から施工ができるようにしたので、床パネルの接合の施工工数の低減が図れる。また、弾性接着剤で割付外壁を接着させているので、外力による外壁の変形に追従させることができる。
【００２０】
【発明の実施の形態】
【００２１】
【実施の形態１】
この発明に係る実施の形態１の床パネル間の接合方法を示す図１に基づいて説明する。
【００２２】
図１は、床パネル間の接合方法を示す斜視説明図である。
【００２３】
なお、従来技術である第１実施例と同様のものは、図６と同一符号で示す。
【００２４】
図１において、１１は金属板を所定の幅にコ字状に折り曲げた留め金具、１２は留め金具１１の対向する側面を適宜な間隔を持たせて上下部に、Ｕ字状に切り欠いて設けた嵌合部である。１４は所定長さの軸部１４ａの両端にディスク１４ｂを持たせ一方のディスクからネジ部１４ｃを突出させたピンであり、これらピン１４を、それぞれ床パネル２Ａ，２Ｂを構成する床根太１３，１５の対向する各面上に、上述の留め金具１１の嵌合部１２の上下間隔位置に合わせて、ねじ込んで固着させたものである。
【００２５】
なお、ピン１４の軸部は、嵌合部１２と嵌合させるためのものであり、適切なはめあいになる径としたものである。
【００２６】
したがって、対向する隣接面にそれぞれ固着されたピン１４が、留め金具１１の嵌合部１２に嵌合されると、ディスク１４ｂによって留め金具１１は横滑りが止められて、隣接する床パネル２Ａと床パネル２Ｂとは、広がることなく接合されることとなる。
【００２７】
【実施の形態２】
この発明に係る実施の形態２の床パネル間の接合方法を示す図２に基づいて説明する。
【００２８】
図２は、床パネル間の接合方法を示す斜視説明図である。
【００２９】
なお、従来技術である第２実施例と同様のものは、図７と同一符号で示す。
【００３０】
図２において、隣接する木質ユニット１Ａ，１Ｂの一方の木質ユニット１Ａには、図７と同様に、内壁や間仕切り３が形成され、木質ユニット１Ａ，１Ｂのそれぞれの床パネル２Ａ，２Ｂを架橋するように上面側から床板貼り渡し４を釘打ちして接合されている。
【００３１】
そして、２１はスライド床板であり、内壁や間仕切り３と床パネル２Ａとの間にスライド床板２１の厚み分の間隙を設け、その間隙にスライド床板２１を、矢印方向に滑り込ませ、床パネル２Ａ，２Ｂを架橋させて釘打ちし接合させている。
【００３２】
したがって、スライド床板２１を架橋させて接合させた分接合面積が広がって、床パネル２Ａ，２Ｂの剛性が向上する。
【００３３】
【実施の形態３】
この発明に係る実施の形態３の床パネル間の接合方法を示す図３に基づいて説明する。
【００３４】
図３は、床パネル間の接合方法を示す斜視説明図である。
【００３５】
なお、従来技術である第３実施例と同様のものは、図８と同一符号で示す。
【００３６】
図３において、隣接する木質ユニット１Ａ，１Ｂの一方の木質ユニット１Ａは、図８と同様に、設備や収納５が設けられている。
【００３７】
４１は床枠、４２は床枠４１を蓋する蓋板で、４３は床パネル２Ａの隣接面に沿って床パネル２Ａに適宜な大きさに開口された施工スペースである。
【００３８】
そして、この施工スペース４３である作業開口を利用して、隣接する床パネル２Ａ，２Ｂ間を、固定具８ａである釘、木ネジ、ラグスクリューや締結具であるボルト・ナット等（図６参照）で接合させている。その後、施工スペース４３に床枠４１を嵌着させ、その上から蓋板４２を被せて床パネル２Ａを形成させる。
【００３９】
その上に、設備や収納５を設置する構成としている。
【００４０】
したがって、設備や収納５が、床パネル２Ａ，２Ｂを接合させる隣接面に沿って位置していても、施工スペース４３の確保が可能となり、接合作業が行いやすくなる。また、床枠を嵌着させるので床パネル２Ａ，２Ｂの剛性の低下を防ぐことができる。
【００４１】
［変形例］
実施の形態３の変形例を、図４に基づいて説明する。
【００４２】
図４は、図３の変形例を示す斜視説明図である。
【００４３】
図４においては、施工スペース４３を、設備や収納５を備えた床パネル２Ａと反対側の床パネル２Ｂの隣接面に沿って、設けたものである。
【００４４】
したがって、設備や収納５の干渉するものがない分、隣接する床パネル２Ａ，２Ｂ間の接合の作業性が向上する。
【００４５】
その他の構成および作用は、実施の形態３と同様であるので、その説明を省略する。
【００４６】
【実施の形態４】
この発明に係る実施の形態４の床パネル間の接合方法を示す図５に基づいて説明する。
【００４７】
図５は、床パネル間の接合方法を示す斜視説明図である。
【００４８】
なお、従来技術である第４実施例と同様のものは、図９と同一符号で示す。
【００４９】
図５において、隣接する木質ユニット１Ａ，１Ｂの床パネル２Ａ，２Ｂを構成する床根太１３，１５の端部の外壁３４Ａ，３４Ｂのそれぞれの幅をやや狭くして、その間を割付外壁３５で塞ぐ構成としたものである。
【００５０】
８は金属製の固定金具で、固定具８ａである木ネジやラグスクリューや釘等で固定され、３３は固定金物８の上に接着する弾性接着剤である。
【００５１】
そして、隣接する床根太１３，１５に、固定金物８を固定具８ａを介して固定し、床パネル２Ａ，２Ｂ間を接合させる。また、固定金物８の上に接着剤３３を塗布し、さらに、この接着剤３３の上に接着させて割付外壁３５を固着させる。
【００５２】
したがって、固定金物８は、この金物８と割付外壁３５との間に弾性接着剤３３を介在させて、割付外壁３５に覆われることとなり、外壁３４Ａ，３４Ｂに外力がかかり変形しても、弾性接着剤３３で吸収したり、変位に追従したりすることになる。
【００５３】
【発明の効果】
本発明に係る床パネル間の接合方法は、請求項１の発明によれば、床パネルの上面側から留め金具をピンに嵌合させるようにしたので、留め金具をピンに嵌合するだけで、簡単に床パネルを接合させることができる。
【００５４】
したがって、隣接する床パネル間の接合施工工数の低減が図れる。
【００５５】
請求項２の発明によれば、内壁や間仕切りと床パネルの間にスライド床板を固定させたので、床パネルの固定面積が拡大される。
【００５６】
したがって、内壁や間仕切りが立つ個所でも、床パネルの剛性を向上させることが可能になる。
【００５７】
請求項３、４の発明によれば、設備や収納が隣接面に沿った位置でも、接合施工の施工スペースの確保が可能となり、作業性が向上する。また、床枠を嵌着させたので、床剛性が向上する。
【００５８】
請求項５の発明によれば、外側から施工ができるようにしたので、床パネル接合の施工工数の低減が図れる。また、弾性接着剤で割付外壁を接着させているので、外力による外壁の変形に追従させることができる。したがって、外力による破損防止が図れる。
【図面の簡単な説明】
【図１】本発明に係る実施の形態１の床パネル間の接合方法を示す説明図である。
【図２】同発明に係る実施の形態２の床パネル間の接合方法を示す説明図である。
【図３】同発明に係る実施の形態３の床パネル間の接合方法を示す説明図である。
【図４】図３の変形例を示す説明図である。
【図５】同発明に係る実施の形態４の床パネル間の接合方法を示す説明図である。
【図６】従来技術に係る第１実施例を示す説明図である。
【図７】同従来技術に係る第２実施例を示す説明図である。
【図８】同従来技術に係る第３実施例を示す説明図である。
【図９】同従来技術に係る第４実施例を示す説明図である。
【符号の説明】
１Ａ，１Ｂ…木質ユニット
２Ａ，２Ｂ…床パネル
１０…床パネル間の接合方法
１１…留め金具
１２…嵌合部
１３，１５…根太
１４…ピン
１４ａ…軸部
１４ｂ…ディスク
【図１】
0004503808.tif 000002
【図２】
0004503808.tif 000003
【図３】
0004503808.tif 000004
【図４】
0004503808.tif 000005
【図５】
0004503808.tif 000006
【図６】
0004503808.tif 000007
【図７】
0004503808.tif 000008
【図８】
0004503808.tif 000009
【図９】
0004503808.tif 000010